(57)【要約】【課題】有色板や有色塗膜によることなくミラー素子の裏面側を暗色にした車両用ミラーおよびその製造方法を提供する。【解決手段】ミラー素子１４は平板状の透明基板１６の前面に誘電体多層膜からなる半透過反射膜１８を形成して構成されている。ミラー素子１４の裏面には暗色粘着フィルム２０が貼り付けられている。暗色粘着フィルム２０は暗色のフィルム層２２の裏面に粘着剤層２４を塗布形成して構成されている。粘着剤層２４の表面には微細な間隔および深さで格子状のエア抜き溝２６が全面に形成されている。暗色粘着フィルム２０をミラー素子１４の裏面に貼り付けた後、加熱もしくは加圧または加熱および加圧を施して、ミラー素子１４の前面側に見えていた格子状エア抜き溝２６を消失させる。【選択図】図１
2010195205.tif 000002
【特許請求の範囲】
【請求項１】
透明基板の前面または裏面に半透過反射膜を形成したミラー素子と、
前記ミラー素子の裏面に貼り付けられた、貼り付け面側が暗色を呈する暗色粘着フィルムとを具備し、
前記暗色粘着フィルムは前記ミラー素子への貼り付け前に粘着剤層の表面にエア抜き溝を有し、かつ前記ミラー素子への貼り付け後に加熱もしくは加圧または加熱および加圧が施されて該ミラー素子の前面側から見て該エア抜き溝が消失されたものである車両用ミラー。
【請求項２】
前記暗色粘着フィルムが住友スリーエム株式会社製の格子状エア抜き溝付き暗色粘着フィルムである請求項１記載の車両用ミラー。
【請求項３】
前記半透過反射膜が誘電体多層膜で構成されている１から２のいずれか１つに記載の車両用ミラー。
【請求項４】
前記ミラー素子の裏面に前記暗色粘着フィルムが存在しない領域があり、該ミラー素子の背後位置に、表示面を該暗色粘着フィルムが存在しない領域に対面させて発光表示式情報表示モニタを配置してなる請求項１から３のいずれか１つに記載の車両用ミラー。
【請求項５】
透明基板の前面または裏面に半透過反射膜を形成したミラー素子を用意する工程と、
貼り付け面側が暗色を呈し、被貼付面に貼り付ける前の状態で粘着剤層の表面にエア抜き溝が形成された暗色粘着フィルムを用意する工程と、
前記ミラー素子の裏面に前記暗色粘着フィルムを貼り付ける工程と、
前記暗色粘着フィルムを貼り付けた前記ミラー素子に加熱もしくは加圧または加熱および加圧を施して該ミラー素子の前面側から見て前記エア抜き溝を消失させる工程とを具備してなる車両用ミラーの製造方法。
【発明の詳細な説明】
【技術分野】
【０００１】
この発明は半透過反射膜を具えた車両用ミラーおよびその製造方法に関する。
【背景技術】
【０００２】
半透過反射膜を具えた車両用ミラーとして下記特許文献１〜４に記載されたものがあった。半透過反射膜を具えた車両用ミラーにおいては半透過反射膜を透過する光を遮断するためにミラー素子の裏面側を黒色等の暗色にしている。例えば特許文献１ではミラー素子の裏面に黒色吸収膜をスパッタリング等の真空成膜法で形成している。特許文献２ではミラー素子の裏面に有色板を配置している。特許文献３ではミラー素子の裏面に有色塗膜を塗布している。特許文献４ではミラー素子の裏面に黒色塗装膜を形成している。
【先行技術文献】
【特許文献】
【０００３】
【特許文献１】実開昭６０−４９０４５号公報
【特許文献２】特開２０００−２５５３２１号公報
【特許文献３】特開２０００−１５３７３６
【特許文献４】特開２００２−６７８０６号公報
【発明の概要】
【発明が解決しようとする課題】
【０００４】
この発明は有色板や有色塗膜によることなくミラー素子の裏面側を暗色にした車両用ミラーおよびその製造方法を提供しようとするものである。
【課題を解決するための手段】
【０００５】
この発明の車両用ミラーは透明基板の前面または裏面に半透過反射膜を形成したミラー素子と、前記ミラー素子の裏面に貼り付けられた、貼り付け面側が暗色を呈する暗色粘着フィルムとを具備し、前記暗色粘着フィルムは前記ミラー素子への貼り付け前に粘着剤層の表面にエア抜き溝を有し、かつ前記ミラー素子への貼り付け後に加熱もしくは加圧または加熱および加圧が施されて該ミラー素子の前面側から見て該エア抜き溝が消失された（完全に消失されるほか、目障りでない程度に概ね消失される場合を含む）ものである。
【０００６】
この発明によれば、暗色粘着フィルムによりミラー素子の裏面側を黒色等の暗色にして半透過反射膜を透過する光を遮断することができる。この場合暗色粘着フィルムはミラー素子への貼り付け前に粘着剤層の表面にエア抜き溝を有しているので、ミラー素子と暗色粘着フィルムとの間に気泡を生じさせることなく貼り付けることができる。また暗色粘着フィルムはミラー素子への貼り付け後に加熱もしくは加圧または加熱および加圧が施されてエア抜き溝が消失されているので、ミラー前面側から見てエア抜き溝が見えるのが防止される。また透明基板がガラス製の場合は、暗色粘着フィルムはガラス基板が破損した際に飛散防止効果を併せて発揮することができる。従来の有色板、有色塗膜、真空成膜法で形成した黒色吸収膜等で暗色にするものでは飛散防止効果を得るには飛散防止フィルムを別途貼り付ける必要があるので部品点数および組立工数が多くなるが、この発明により暗色粘着フィルムを使用すれば飛散防止フィルムが別途不要となるので、部品点数および組立工数を削減することができる。暗色粘着フィルムとしては、例えば住友スリーエム株式会社製の格子状エア抜き溝付き暗色粘着フィルムを使用することができる。なお気泡防止用に暗色粘着フィルムにエア抜き穴を形成することも考えられるが、エア抜き穴を形成したフィルムはミラー素子の前面側から見てエア抜き穴が見えて、目障りなものとなるとなるので、車両用ミラーには不向きである。
【０００７】
この発明の車両用ミラーの製造方法は、透明基板の前面または裏面に半透過反射膜を形成したミラー素子を用意する工程と、貼り付け面側が暗色を呈し、被貼付面に貼り付ける前の状態で粘着剤層の表面にエア抜き溝が形成された暗色粘着フィルムを用意する工程と、前記ミラー素子の裏面に前記暗色粘着フィルムを貼り付ける工程と、前記暗色粘着フィルムを貼り付けた前記ミラー素子に加熱もしくは加圧または加熱および加圧を施して該ミラー素子の前面側から見て前記エア抜き溝を消失させる（完全に消失されるほか、目障りでない程度に概ね消失される場合を含む）工程とを具備してなるものである。加熱は例えば温風機、加熱オーブン等の加熱機を用いて行うことができる。加圧は例えばミラー素子を加圧機で加圧する（例えば加圧ローラに通す）ことによって行うことができる。加熱加圧ローラを用いて加熱と加圧を同時に行うこともできる。
【図面の簡単な説明】
【０００８】
【図１】この発明の車両用ミラーの実施の形態１を示す図で、表面鏡型防眩インナーミラーとして構成した車両用ミラーを示す正面図および断面図である。
【図２】図１の暗色粘着フィルム２０の構成例を示す図で、暗色粘着フィルム２０をミラー素子に貼り付ける前に離型紙（剥離紙）２８から一部剥がして示したものである。
【図３】図１（ｂ）の暗色粘着フィルム２０が貼り付けられたミラー素子１４の断面の一部の領域を模式的に拡大して示した図である。
【図４】図３のミラー素子１４の反射率特性図である。
【図５】ミラー素子１４の裏面に暗色粘着フィルム２０を貼り付けた後、（ａ）加熱・加圧前に格子状エア抜き溝２６が見える状態と、（ｂ）加熱・加圧して格子状エア抜き溝２６が消失した状態を示すミラー素子１４を正面から見た拡大写真である。
【図６】この発明の車両用ミラーの実施の形態２を示す図で、裏面鏡型防眩インナーミラーとして構成した車両用ミラーのミラー素子４０の断面の一部の領域を模式的に拡大して示した図である。
【図７】この発明の車両用ミラーの実施の形態３を示す図で、発光表示装置組込式表面鏡型防眩インナーミラーとして構成した車両用ミラーを示す正面図および断面図である。
【図８】図７（ｂ）の暗色粘着フィルム２０が貼り付けられたミラー素子１４の断面の一部の領域を模式的に拡大して示した図である。
【図９】この発明の車両用ミラーの実施の形態４を示す図で、発光表示装置組込式裏面鏡型防眩インナーミラーとして構成した車両用ミラーのミラー素子４０の断面の一部の領域を模式的に拡大して示した図である。
【発明を実施するための形態】
【０００９】
《実施の形態１》
この発明の車両用ミラーの実施の形態１を図１に示す。この車両用ミラー１０は表面鏡型防眩インナーミラーとして構成されたものである。（ａ）は正面図、（ｂ）は（ａ）のＡ−Ａ矢視断面図である。インナーミラー１０はハウジング１２の前面開口部１２ａにミラー素子１４を嵌め込み装着して構成されている。ミラー素子１４は平板状の透明基板１６の前面に誘電体多層膜からなる半透過反射膜１８を形成した表面鏡として構成されている。透明基板はガラスのほかアクリル、ポリカーボネート等の透明樹脂を使用できるが、耐傷付き性、成型の容易さ（平滑性、低歪み）の観点からはガラスが好適である。ミラー素子１４の裏面の全領域には暗色（例えば黒色）の粘着フィルム２０が貼り付けられている。暗色粘着フィルム２０は樹脂製フィルムの裏面に粘着剤層を形成して構成することができる。暗色粘着フィルム２０はインナーミラー１０の前面側からミラー素子１４を透過してハウジング１２の内部が透けて見えないようにする働きをする。
【００１０】
暗色粘着フィルム２０の構成例を図２に示す。これは住友スリーエム株式会社製の格子状エア抜き溝付き加飾フィルムである。この暗色粘着フィルム２０は高耐候性フィルム層２２の裏面にアクリル系粘着剤層２４を塗布形成したものである。フィルム層２２は厚み方向全体が暗色を呈し、光をほとんど通さない。粘着剤層２４は透明であり、裏面側（粘着剤層２４側）からはフィルム層２２の暗色がそのまま見える。粘着剤層２４の表面には微細な間隔および深さで縦横縞格子状のエア抜き溝２６（マイクロコンプライ）が全面に形成されている。暗色粘着フィルム２０を被貼付面であるミラー素子１４の裏面に貼り付けるときは、粘着剤層２４の表面からライナー（剥離紙）２８を剥がして貼り付ける。この暗色粘着フィルム２０は本来はフィルム層２２側を意匠面（視認される面）として利用するように設計されたものであるが、ここでは粘着剤層２４側を意匠面として利用する。暗色粘着フィルム２０は、住友スリーエム株式会社製の既存製品としては例えば格子状エア抜き溝付き「ブラックアウトフィルム」を好適に使用できる。同ブラックアウトフィルムは本来は自動車のドアフレーム等の装飾用に用意されたものでフィルム層２２が黒色を呈している。裏面の粘着面側もフィルム層２２の色がそのまま現れて黒色を呈しているので、粘着剤層２４側を意匠面として利用する暗色粘着フィルム２０として好適である。
【００１１】
図３は図１（ｂ）の、暗色粘着フィルム２０が貼り付けられたミラー素子１４の断面の一部の領域を模式的に拡大して示す。透明基板１６は例えばソーダライムガラスで構成される。透明基板１６の前面には半透過反射膜１８が成膜されている。半透過反射膜１８は透明基板１６の前面に高屈折率材料膜３０、低屈折率材料膜３２、高屈折率材料膜３４の３層を順次積層した誘電体多層膜で構成されている。各層３０，３２，３４は可視光の吸収がないかまたはきわめて吸収が少ない材料で構成されている。各層３０，３２，３４の光学膜厚はそれぞれλ／４（λ：参照波長で、例えば５３０ｎｍ）である。ミラー素子１４の可視光域での反射ピーク波長は５００ｎｍ〜５５０ｎｍに設定されている。高屈折率材料膜３０をＴｉＯ2で構成し、低屈折率材料膜３２をＳｉＯ2で構成し、高屈折率材料膜３４をＴｉＯ2で構成した場合の図３のミラー素子１４の反射率特性を図４に示す。この特性は可視光域に単一の反射ピークを持っている。この特性によれば車両用ミラーとして必要な反射率が得られている。また可視域での反射ピーク波長は約５３０ｎｍであり、その時の反射率は約４５％である。また反射率が反射ピーク波長の両側でなだらかに減衰しているので、ディスチャージランプの青みの強い短波長域（約４５０ｎｍよりも短い波長域）の光とハロゲンランプの赤みがかった長波長域（約６３０ｎｍよりも長い波長域）の光の双方の光に対して反射光強度を低減させることができ、高い防眩効果が得られる。なお最表面の高屈折率材料膜３４をＴｉＯ2等による光触媒膜で構成すれば汚れ防止効果が得られる。
【００１２】
ミラー素子１４に暗色粘着フィルム２０を貼り付ける工程の一例を説明する。
（１）透明ガラス基板１６の前面に半透過反射膜１８を形成したミラー素子１４を用意する。
（２）暗色粘着フィルム２０として、住友スリーエム株式会社製の格子状エア抜き溝付きブラックアウトフィルム（例えばＦＲＷ３０４３Ｊ、ＦＲＡ００４５Ｊ）を用意する。
（３）ミラー素子１４の裏面に暗色粘着フィルム２０を貼り付ける。このとき暗色粘着フィルム２０の表面側からへらを押し当てながら貼り付けることにより、ミラー素子１４と暗色粘着フィルム２０との間に入った空気は格子状エア抜き溝２６に沿って外部に排出されるため、気泡を残すことなく暗色粘着フィルム２０を平滑に貼り付けることができる。
（４）ミラー素子１４の面の外にはみ出した余分な暗色粘着フィルム２０を切り取る。
（５）フィルム層２２側を意匠面として利用する通常の用途であればこれで十分であるが、粘着剤層２４側を意匠面として利用する本用途では不十分であることが分かった。すなわちミラー素子１４の裏面に暗色粘着フィルム２０を貼り付けただけでは、気泡は残らないものの、ミラー素子１４の前面側から見て図５（ａ）の写真に示すように格子状エア抜き溝２６（格子状の線に映っている部分）が見えてしまい、目障りなものとなる。そこで暗色粘着フィルム２０を貼り付けたミラー素子１４を加熱機（温風機、加熱オーブン等）で加熱した後すぐに加圧ローラの回転する２本のローラ間に通した（０．３ＭＰａ以上の加圧力でミラー素子１４をその長手方向に１０〜１５秒間かけて通した）ところ、ミラー素子１４の前面側から見て図５（ｂ）の写真に示すように格子状エア抜き溝２６を消失させることができた。なお加熱温度は８０℃よりも高いと作業者がミラー素子１４を手で持ったときに熱いので作業性が悪く、また５０℃よりも低いと加熱効果が十分に発揮されないので、５０℃以上８０℃以下が望ましい。加熱ローラを備えたローラー式ラミネーターを使用すれば加熱と加圧を同時に行うことができる。また加圧は行わずに加熱機で加熱するだけでも格子状エア抜き溝２６を消失させることができるが、消失させるまでにある程度長い時間を要する。また加熱は行わずに加圧ローラによる加圧だけでも格子状エア抜き溝２６を消失させることができるが、加熱を併用した方が低い加圧力で消失させられるので、ミラー素子１４に与える負荷を小さくできる。
【００１３】
《実施の形態２》
この発明の車両用ミラーの実施の形態２を図６に示す。この車両用ミラーは裏面鏡型防眩インナーミラーとして構成されたものである。ミラー素子４０以外の構成は実施の形態１と同じであるので、インナーミラー全体の構成については図示および説明を省略する。実施の形態１と共通する部分には同一の符号を用いる。ミラー素子４０の構造について説明する。ガラス等の透明基板１６の裏面には半透過反射膜１８が成膜されている。半透過反射膜１８は透明基板１６の裏面に高屈折率材料膜３０、低屈折率材料膜３２、高屈折率材料膜３４の３層を順次積層した誘電体多層膜で構成されている。ミラー素子４０の表面にＴｉＯ2等による光触媒膜４１を別途形成すれば汚れ防止効果が得られる。半透過反射膜１８の表面（ミラー素子４０の裏面）には暗色粘着フィルム２０が貼り付けられている。暗色粘着フィルム２０は実施の形態１で説明したものと同じで、暗色のフィルム層２２の裏面に粘着剤層２４を塗布形成して構成されている。暗色粘着フィルム２０は実施の形態１で説明したものと同様の工程でミラー素子１４に貼り付けることができる。
【００１４】
《実施の形態３》
この発明の車両用ミラーの実施の形態３を図７に示す。この車両用ミラー４２は実施の形態１（図１）の車両用ミラー１０（表面鏡型防眩インナーミラー）に発光表示装置４４を組み込んだものである。実施の形態１と共通する部分には同一の符号を用いる。暗色粘着フィルム２０の適宜の領域（図７ではミラー素子１４の面内の運転者の視点に近い右隅部）には開口部２０ａが形成されている。ハウジング１２内にはミラー素子１４の背後位置に発光表示装置４４が表示面４４ａを暗色粘着フィルム２０の開口部２０ａに臨ませて配置されている。発光表示装置４４は液晶表示装置、ＥＬ表示装置等で構成される。発光表示装置４４はハウジング１２内の適宜の箇所に取付支持されている。
【００１５】
図８は図７（ｂ）の、暗色粘着フィルム２０が貼り付けられたミラー素子１４の断面の一部の領域（発光表示装置４４が配置された領域）を模式的に拡大して示す。暗色粘着フィルム２０に開口部２０ａが形成され、発光表示装置４４が表示面４４ａを開口部２０ａに臨ませて配置されている。他の構成は実施の形態１で図３について説明したものと同じである。暗色粘着フィルム２０は予め開口部２０ａを形成したものを、実施の形態１で説明したものと同様の工程でミラー素子１４に貼り付けることができる。
【００１６】
《実施の形態４》
この発明の車両用ミラーの実施の形態４を図９に示す。この車両用ミラー４２は実施の形態２（図６）の車両用ミラー（裏面鏡型防眩インナーミラー）に発光表示装置４４を組み込んだものである。実施の形態２と共通する部分には同一の符号を用いる。暗色粘着フィルム２０に開口部２０ａが形成され、発光表示装置４４が表示面４４ａを開口部２０ａに臨ませて配置されている。暗色粘着フィルム２０は予め開口部２０ａを形成したものを、実施の形態１で説明したものと同様の工程でミラー素子４０に貼り付けることができる。
【００１７】
なお発光表示装置を組み込む場合は、ミラー素子を裏面鏡で構成した場合（実施の形態４：図９）よりもミラー素子を表面鏡で構成した方（実施の形態３：図８）が、発光表示装置がオフのときに暗色粘着フィルムと発光表示装置の表示面との色調差を目立ちにくくすることができる。
【００１８】
前記各実施の形態では半透過反射膜を誘電体多層膜で構成したが、半透過反射膜を半透過金属膜その他の半透過反射膜で構成した場合にもこの発明を適用することができる。また暗色粘着フィルムのエア抜き溝は前記実施の形態で示した縦横縞格子状のものに限らず様々なパターンのものを使用することができる。また前記各実施の形態ではこの発明をインナーミラーに適用した場合について説明したが、アウターミラーその他の車両用ミラーにも適用することができる。
【符号の説明】
【００１９】
１０…車両用ミラー、１４，４０…ミラー素子、１６…透明基板、１８…半透過反射膜（誘電体多層膜）、２０…暗色粘着フィルム、２０ａ…暗色粘着フィルムの開口部（ミラー素子の裏面の暗色粘着フィルムが存在しない領域）、２２…フィルム層、２４…粘着剤層、２６…エア抜き溝、４２…発光表示装置組込式車両用ミラー、４４…発光表示式情報表示モニタ
【図１】
2010195205.tif 000003
【図２】
2010195205.tif 000004
【図３】
2010195205.tif 000005
【図４】
2010195205.tif 000006
【図５】
2010195205.tif 000007
【図６】
2010195205.tif 000008
【図７】
2010195205.tif 000009
【図８】
2010195205.tif 000010
【図９】
2010195205.tif 000011